(57)【要約】【課題】シェーディングデータの異常時に白線、色線を確実に検出することができるシェーディングデータ検査方法を提供する。【解決手段】中央に所定濃度の黒帯及びグレーの帯が印刷されたテストチャートをスキャンした後、検査ソフトにスキャンデータを取り込むと、スキャン画像の中央の高さ４５ドットの黒帯を抽出した後、ｉ列目のLine平均Ｘ(i)、行列平均Ｙ(i)、各Line平均Ｘ(i)の標準偏差σを演算し、Ｘ(i)がＹ(i)−４σ＜Ｘ(i)＜Ｙ(i)＋４σの関係にあるか否かを順次判定する（ステップ101〜105）。Ｘ(i)が許容範囲内にない場合、ｉを色線または白スジを検出した座標として記憶し、次に、グレーの帯についても同様に色線または白スジの座標としてｊを記憶し（ステップ10９〜115）、ｉまたはｊが記憶されていた場合、ｉ、ｊの値を座標値に変換して表示する（ステップ117〜11９）。【選択図】図８
2007267078.tif 000002
【特許請求の範囲】
【請求項１】
テストチャート上の所定濃度の黒領域を読み取り、読み取った黒領域の画像中から線を検出するシェーディングデータ検査方法において、
テストチャート中に中間濃度の領域をさらに設け、読み取った中間濃度領域中の線も検査することを特徴とするシェーディングデータ検査方法。
【請求項２】
請求項１に記載されたシェーディングデータ検査方法において、
上記黒領域、中間濃度領域は、主走査方向に伸びる所定幅の領域であることを特徴とするシェーディングデータ検査方法。
【請求項３】
請求項１または請求項２に記載されたシェーディングデータ検査方法において、
検出された線の座標をディスプレイに表示することを特徴とするシェーディングデータ検査方法。
【発明の詳細な説明】
【技術分野】
【０００１】
本発明は、デジタル複合機やファクシミリ装置、コピー機等の画像読取装置のシェーディングデータ検査方法、すなわち、白基準板を読み取った時のシェーディングデータの異常を検査するシェーディングデータ検査方法に関する。
【背景技術】
【０００２】
複写機能、ファクシミリ機能、プリント機能、スキャナ機能等を有する最近のデジタル複合機やファクシミリ装置、コピー機等の画像読取装置は、原稿用紙のデジタル画像データを読み取るＣＣＤイメージセンサや密着型センサ（ＣＩＳ）を備えている。このようなセンサでは、照明ムラや各受光素子間の感度バラツキあるいはレンズ特性により、均一な輝度及び濃度の原稿画像を読み取ったにも拘わらず、読み取られた画像データの輝度及び濃度が不均一となることがある。この現象はシェーディングと呼ばれ、複写紙上に形成される再現画像の忠実度を損なう原因となる。
【０００３】
このため、従来の画像読取装置では、黒基準（光源消灯状態で読み取った白基準板の画像データ）、白基準（光源点灯状態で読み取った白基準板の画像データ）の１ライン分の濃度データ（以下、シェーディングデータという）を読み取り、このシェーディングデータと本来得られるべき濃度データとの誤差を各画素について求め、これに基づいて、以降の画像読取処理で得られたデジタル画像データを補正することにより、再現画像の再現性の向上を図っている。
【０００４】
そして、黒基準データの異常は少ないが、白基準データは、白基準板の表面に傷や濃度ムラがあったり、ほこりや水滴等の異物が付着していると、読み取ったシェーディング波形にスジ状のノイズが重畳するため、このような白基準板を基にしてシェーディング補正を行うと、スキャンした原稿画像には副走査方向に白筋が生じ、画質が劣化するという問題があった。
また、最近のデジタル複合機やコピー機等の画像処理装置では、カラースキャナ機能を備えた機器が増加しており、このようにカラースキャナ機能を搭載した画像読取装置の多値のスキャン画像は、モノクロコピーと異なり、少しシェーディングデータがおかしいだけでも、画像に目視可能な線が入るなどの影響がでやすい。
【０００５】
このため、基準となる白基準板を読み取ったシェーディングデータに重畳するノイズ成分をＭＴＦ（空間周波数）補正やローパスフィルタを用いて除去し、ノイズを除去したシェーディングデータを用いてシェーディング補正を行うようにしている（例えば、特許文献１参照）。
【特許文献１】特開平８−３０７６７４号公報
【０００６】
一方、シェーディングデータの異常検出のアプローチとして、シェーディングデータ獲得後、所定の濃度の帯を有するテストチャートを読み取り、読み取った画像データをディスプレイに映し出し、所定濃度の帯中の線を目視によって検査し、異常がある時には白基準板や、白基準板からＣＣＤに至るまでの光学系を清掃することが行われている。
【発明の開示】
【発明が解決しようとする課題】
【０００７】
上記のように、従来の画像読取装置では、基準となる白基準板を読み取ったシェーディングデータに重畳するノイズ成分をＭＴＦ（空間周波数）補正やローパスフィルタを用いて除去するようにしているが、ノイズを除去し切れなかった場合には、黒の画像に白線が入ったりするという問題があった。
また、テストチャートを読み取り、読み取った画像データをディスプレイに映し出して目視により検査する場合、見落としや個人差があって信頼性に欠けるところがあり、また、ディスプレイには高解像度でかつ正確に色補正がされた高価なものが必要でコストがかかり、さらに、原稿が大きかったり、解像度が高くなったりすると検査に費やす工数が増加するという問題もあった。
【０００８】
このため、検査ソフトに線の検出機能を実装し、横方向に均一な濃度の黒帯を持っている画像をスキャンし、その帯の部分で線が入っているかいないかを検査することも行われているが、上記のように、シェーディング異常は白シェーディングが原因であることが多く、黒シェーディングはおかしくないことが多いため、黒シェーディングレベルに近いデータが入った時にはほとんど正常な出力を出してしまうので、黒帯では白線がでにくく、白線が検出できないケースがあった。
【０００９】
本発明は、上記の問題に鑑みてなされたもので、テストチャート上の所定濃度の帯を読み取り、読み取った帯の中から線を検出するシェーディングデータ検査方法において、シェーディングデータの異常時に白線、色線を確実に検出することができるシェーディングデータ検査方法を提供することを目的とする。
【課題を解決するための手段】
【００１０】
上述の目的を達成するため、請求項１に係る発明のシェーディングデータ検査方法は、テストチャート上の所定濃度の黒領域を読み取り、読み取った黒領域の画像中から線を検出するシェーディングデータ検査方法において、テストチャート中に中間濃度の領域をさらに設け、読み取った中間濃度領域中の線も検査することを特徴とする。
【００１１】
また、請求項２に係る発明のシェーディングデータ検査方法は、請求項１に記載されたシェーディングデータ検査方法において、上記黒領域、中間濃度領域は、主走査方向に伸びる所定幅の領域であることを特徴とし、
請求項３に係る発明のシェーディングデータ検査方法は、請求項１または請求項２に記載されたシェーディングデータ検査方法において、検出された線の座標をディスプレイに表示することを特徴とする。
【発明の効果】
【００１２】
請求項１及ぶ請求項２に係る発明のシェーディングデータ検査方法によれば、線の検出を黒帯と中間色のグレーの２系統の帯で行うので、グレーの帯では画像出力データが黒シェーディングレベルから離れたデータとなって白線を検出しやすく、一方、ＣＣＤセンサの特性により濃度が濃い方が誤差が少ないため、黒帯による線の検出感度が高く、特に、カラーＣＣＤセンサのＲＧＢのどれかだけに異常がある場合に発生する色線は黒帯の方が良好に検出することができるので、シェーディング異常があった場合に発生する線を確実に検出することができる。
【００１３】
また、請求項３に係る発明のシェーディングデータ検査方法によれば、検出された線の座標がディスプレイに表示されるので、例えば、ディスプレイに表示された黒帯又はグレー帯に線があるか否かを目視で容易に確認することができる。
【実施例】
【００１４】
以下、本発明のシェーディングデータ検査方法をデジタル複合機に適用した実施例について説明する。図１はデジタル複合機を備えたシステムのネットワーク構成例を示す図であり、図２はデジタル複合機のハードウェア構成を示すブロック図である。
【００１５】
図１に示すネットワーク構成図において、１はデジタル複合機、２、３、４・・・はパソコン、５は公衆交換電話網（ＰＳＴＮ）、６はＬＡＮ（Local Area Network）、７はインターネット網である。デジタル複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信を行うことも可能である。
【００１６】
図２はデジタル複合機１の制御系の構成を示す概略ブロック図であり、図に示すように、デジタル複合機１はＭＰＵ（Micro Processing Unit）１１、フラッシュメモリ１２、ＳＲＡＭ（Static Random Access Memory）１３、メモリコントローラ１４、画像メモリ１５、コーデック１６、モデム１７、ネットワーク制御ユニットＮＣＵ１８、操作パネル１９、読取機構制御回路２０、光源２１、カラーＣＣＤ２２、アナログフロントエンド２３、読取画像信号処理回路２４、プリント画像信号処理回路２５、プリンタ２６、ＬＡＮインターフェース（Ｉ／Ｆ）２７等により構成され、各部がバス２８を介して接続されている。
【００１７】
ＭＰＵ１１はバス２８を介してデジタル複合機１のハードウェア各部を制御するとともに、フラッシュメモリ１２に記憶されたプログラムに基づいて各種のプログラムを実行し、フラッシュメモリ１２は、デジタル複合機の動作に必要な種々のプログラムや操作メッセージ及びシェーディングデータを記憶している。また、ＳＲＡＭ１３はプログラムの実行時に発生する一時的なデータを記憶する。
【００１８】
メモリコントローラ１４は画像メモリ１５への画像信号の書込み、読出しを制御し、画像メモリ１５はＳＤＲＡＭ等を用いて構成され、送信すべき画像データまたは受信した画像データあるいは読み取った画像データを記憶し、コーデック１６は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００１９】
また、モデム１７はバス２８に接続されており、ファクシミリ通信が可能なファクスモデムとしての機能を有し、このモデム１７は同様にバス２８に接続されたＮＣＵ１８と接続されている。ＮＣＵ１８はアナログ回線の閉結及び開放の動作を行うハードウェアであり、必要に応じてモデム１７をＰＳＴＮ５に接続する。
【００２０】
操作パネル１９は、デジタル複合機１の動作状態を表示したり、種々の機能の操作画面の表示を行う表示部と、デジタル複合機１を操作するための複数のキーよりなり、図３に示すように、表示部を構成するＬＣＤ表示部３１と多数の操作キーから構成されている。ＬＣＤ表示部３１には、タッチパネルスイッチが配設され、ＬＣＤ表示部３１に表示された項目部分を押下することで、対応する項目の選択や機能の実行を行うことができる。また、操作キーとして、テンキー３２、スタートキー３３、リセットキー３４、ストップキー３５、複数のワンタッチダイヤルキー３６、十字キー３７、リターンキー３８、セットキー３９、ＦＡＸ切替キー４０、コピー切替キー４１、スキャナ切替キー４２等の各種キーが設けられている。なお、ＬＣＤ表示部３１によりこれらの操作キーの一部又は全部を代用することも可能である。
【００２１】
また、読取機構制御回路２０は、原稿読取時にオートドキュメントフィーダー（ＡＤＦ）やフラットベッドスキャナ（ＦＢＳ）等の読取り用原稿載置台（図示せず）を制御するとともに、光源２１を点灯する。カラーＣＣＤ２２は原稿載置台に載置された原稿の画像を読み取ってアナログフロントエンド（ＡＦＥ）２３に入力し、アナログフロントエンド２３はカラーＣＣＤ２２からの信号をサンプル／ホールド及び増幅して読取画像信号処理回路２４に入力する。この読取画像信号処理回路２４は白黒及びＲ、Ｇ、Ｂの３色よりなる色成分のデジタル画像データを生成するとともに、シェーディング補正を実行し、補正された画像データはメモリコントローラ１４を介して画像メモリ１５に記憶される。
【００２２】
さらに、プリント画像信号処理回路２５は、プリント画像信号を処理してプリンタ２６に入力し、プリンタ２６は、電子写真方式等のプリンタ装置であり、受信したデータ、コピー原稿データあるいは外部のパソコン２、３、４から送信されたプリントデータをプリントアウトする。
また、ＬＡＮインターフェース２７はＬＡＮ６に接続され、インターネット網７からの信号を受信する一方、ＬＡＮ６に対して信号やデータを送信するものであり、信号変換やプロトコル変換などのインターフェース処理を実行する。
【００２３】
デジタル複合機１は上記のような構成を備えており、ファクシミリ送信時には、原稿の画像データがカラーＣＣＤ２２により読み取られ、読取画像信号処理回路２４からの画像信号がコーデック１６で圧縮されてメモリコントローラ１４を介して画像メモリ１５に蓄積される。この圧縮された画像データが画像メモリ１５から読み出されてモデム１７で変調され、ＮＣＵ１８からＰＳＴＮ５を通して通信相手先に送信される。また、ファクシミリ受信時には、受信した画像データがモデム１７で復調され、メモリコントローラ１４を介して画像メモリ１５に蓄積された後、コーデック１６で復号され、プリント画像処理回路２５がプリンタ２６にプリント画像信号を供給することにより印刷される。  
【００２４】
一方、デジタル複合機１の出荷時またはＣＣＤの校正時には、光源の照度ムラ、ＣＣＤイメージセンサの各素子間の感度バラツキあるいはレンズ特性等を補正するため、シェーディングプレート（白基準板）８の画像読取信号の値がシェーディングデータとしてフラッシュメモリ１２に記憶されるが、このとき、所定濃度の帯が記録されたテストチャートを用いて、記憶されたシェーディングデータの異常を検査する場合の作業について、以下、説明する。
取り込んだシェーディングデータの異常を検査する場合、作業者は、ＬＡＮ６に接続されたパソコンまたはＰＣインターフェース（図示せず）を介してデジタル複合機１に直接接続されたパソコンを起動し、検査ソフトを立ち上げる。
【００２５】
図４は検査ソフトを実装したパソコン５０の構成を示すブロック図であり、図に示すように、ＭＰＵ５１、ＲＯＭ５２、ＲＡＭ５３、表示部５４、入力部５５、ハードディスクドライブ（ＨＤＤ）５６、ＬＡＮインターフェース５７から構成され、これらがバス５８を介して接続されている。
ＭＰＵ５１は、バス５８を介してパソコン５０のハードウェア各部を制御するとともに、ＲＯＭ５２に記憶されたソフトウェアプログラムに基づいて各種のプログラムを実行し、ＲＡＭ５３はＳＲＡＭ等で構成され、プログラムの実行時に発生する一時的なデータを記憶する。
【００２６】
表示部５４は、液晶表示装置（ＬＣＤ）又はＣＲＴディスプレイ等の表示装置であり、入力部５５はパソコンを操作するためのキーボードである。ＨＤＤ５６は記憶媒体を内蔵する記憶装置で、各種の機能のプログラムを格納するとともに、様々なデータを記憶するものであり、このＨＤＤ５６には、シェーディングデータの異常を検査するためのソフトをインストールすることができる。また、ＬＡＮインターフェース５７はＬＡＮ６に接続され、上記のＬＡＮインターフェース２７と同様な働きをする。
【００２７】
パソコン５０の検査ソフトを立ち上げた後、作業者が、図５に示すような、中央に所定濃度の黒帯とグレーの帯が印刷されたテストチャートをデジタル複合機１のＡＤＦまたはＦＢＳにセットし、操作パネル１９のスキャナ切替キー４２を押下すると、ＬＣＤ表示部３１に図６に示すスキャンメニュー選択画面が表示されるので、この画面でカラー（１）、フォルダー（２）の欄を選択する。
【００２８】
この選択によってＬＣＤ表示部３１には、図７に示すスキャン条件入力画面が表示されるので、作業者が、画質を写真（３）、解像度を３００dpi（４）、デフォルトの０１に登録されているフォルダー（５）を選択した後、スタートキー３３を押下することにより、読取機構制御回路２０、光源２１、カラーＣＣＤ２２によってテストチャートのスキャンが実行される。スキャンされた画像データは、アナログフロントエンド２３を介して読取画像信号処理回路２４に入力され、シェーディング補正が実行された後、メモリコントローラ１４を介して画像メモリ１５の選択されたフォルダーに取り込まれる。
【００２９】
次に、作業者が、パソコン５０の表示部５４の検査画面において、デジタル複合機１の画像メモリ１５の選択されたフォルダーに保存されたテストチャートの画像データをドラッグドロップで取り込むと、パソコン５０のＭＰＵ５１がテストチャートの帯の部分に色線または白スジが入っていないかどうかを自動的に検査し、色線または白スジが検出された場合には、パソコン５０の表示部５４に色線または白スジを検出した座標を表示する。
【００３０】
すなわち、画像メモリ１５に保存されたテストチャートの画像データがドラッグドロップで取り込まれると、パソコン５０のＭＰＵ５１は図８のフローチャートに示すシェーディングデータの異常検査プログラムを開始し、まず、テストチャートをスキャンした画像の中央の高さ４５ドットの黒帯を抽出した（ステップ１０１）後、図９に示すように、各列のLine平均Ｘ（ｉ）（ｉ＝０、１、・・・、ｎ）、すなわち、各列の副走査方向の画像濃度の平均値を演算した後、各平均値の標準偏差σを演算する（ステップ１０２）
【００３１】
次に、ＭＰＵ５１は、ｉを０にセットした（ステップ１０３）後、行列平均Ｙ（ｉ）を演算する（ステップ１０４）。すなわち、ＭＰＵ５１は、図１０に示すように、行列平均Ｙ（ｉ）としてｉ−８列目からｉ−１列目まで８列×４５ラインの画像濃度の平均値を演算する。なお、ｉが０〜８のときは１列目から８列目までの平均を行列平均Ｙ（ｉ）として演算する。
【００３２】
行列平均Ｙ（ｉ）を演算すると、ＭＰＵ５１は、Ｘ（ｉ）がＹ（ｉ）−４σ＜Ｘ（ｉ）＜Ｙ（ｉ）＋４σの関係にあるか否かを判定することにより、Ｘ（ｉ）が許容範囲内にあるか否かを判定し（ステップ１０５）、Ｘ（ｉ）が許容範囲内にないと判定した場合、ｉを色線または白スジを検出した座標としてＲＡＭ５３に記憶する（ステップ１０６）。
【００３３】
ステップ１０５でＸ（ｉ）が許容範囲内にあると判定した場合、またはステップ１０６でｉを記憶した後、ＭＰＵ５１は、ｉがｎか否かを判定することにより最終列か否かを判定し（ステップ１０７）、最終列でないと判定した場合、ｉに１加算した（ステップ１０８）後、ステップ１０４に戻って再び、行列平均Ｙ（ｉ）を演算する。
【００３４】
一方、ステップ１０７で最終列であると判定した場合、ＭＰＵ５１は、テストチャートをスキャンした画像の中央の高さ４５ドットのグレーの帯を抽出した（ステップ１０９）後、上記と同様に、各列のLine平均Ｘ（ｊ）を演算した後、各平均値の標準偏差σを演算する（ステップ１１０）。
次に、ＭＰＵ５１は、ｊを０にセットし（ステップ１１１）、行列平均Ｙ（ｊ）を演算した（ステップ１１２）後、ｊ列目のLine平均Ｘ（ｊ）がＹ（ｊ）−４σ＜Ｘ（ｊ）＜Ｙ（ｊ）＋４σの関係にあるか否かを判定することにより、Ｘ（ｊ）が許容範囲内にあるか否かを判定し（ステップ１１３）、Ｘ（ｊ）が許容範囲内にないと判定した場合、ｊを色線または白スジを検出した座標としてＲＡＭ５３に記憶する（ステップ１１４）。
【００３５】
ステップ１１３でＸ（ｊ）が許容範囲内にあると判定した場合、またはステップ１１４でｊを記憶した後、ＭＰＵ５１は、ｊがｎか否かを判定することにより最終列か否かを判定し（ステップ１１５）、最終列でないと判定した場合、ｊに１加算した（ステップ１１６）後、ステップ１１２に戻って再び、行列平均Ｙ（ｊ）を演算する。
【００３６】
一方、ステップ１１５で最終列であると判定した場合、ＭＰＵ５１は、ＲＡＭ５３にｉまたはｊが記憶されているか否かを判定し（ステップ１１７）、ＲＡＭ５３にｉまたはｊが記憶されていないと判定した場合、パソコン５０の表示部５４にシェーディングデータに異常がない旨を表示する（ステップ１１８）。また、ＲＡＭ５３にｉまたはｊが記憶されていると判定した場合、ＲＡＭ５３に記憶されているｉ、ｊの値を座標値に変換し、この座標値をシェーディングデータに異常がある旨とともに表示部５４に表示する（ステップ１１９）。
【００３７】
これにより、シェーディングデータに異常があった場合、例えば、シェーディングデータの取得時にＣＣＤの１２８番目の素子にゴミが付着していた場合、図１１に示すように、パソコン５０の表示部５４に、テストチャートの帯の読取画像、シェーディングデータに異常がある旨及び異常位置が表示されるので、作業者は検出された座標位置に白線または色線が存在するか否かを目視で確認し、白線もしくは色線があれば、スキャナユニット内のミラー、レンズ、あるいは、ＣＣＤ表面の清掃、コンタクトガラスの清掃を行い、再度シェーディングデータを取り直すことができる。
【００３８】
以上のように、線の検出を黒と中間色のグレーの２系統の帯で行うので、シェーディング異常があった場合に発生する白線及び色線を良好に検出することができ、また、検出された線の座標がディスプレイに表示されるので、ディスプレイに表示された黒帯又はグレー帯に線があるか否かを目視で容易に確認することができる。
【００３９】
なお、上記のように、許容誤差として標準偏差を使用してシェーディングデータが異常かどうかを判定する理由は、帯の濃度は理想的には一定であるが、ＣＣＤセンサのシェーディングデータは、図１２に示すように、通常はおわん形をしており、濃度が中央と端とで大きく異なるため、線として検出するマージンが中央と端とで異なってしまうので、周辺画素の平均値Ｙにマージンｍを適用することで、位置によらず適切な判定を行うことができる。また、さらにマージンｍとして標準偏差を使用することにより、機台間のばらつきや、ノイズの程度に影響されず適切に、シェーディングデータの異常判定を行うことができる。
【００４０】
上記の実施例では、ＬＡＮに接続されたパソコンまたはＰＣインターフェースを介してデジタル複合機に直接接続されたパソコンによりシェーディング補正データの異常検査を実行したが、このような機能をデジタル複合機に組み込めば、テストのための特別の機材、例えば、コンピュータを不要とすることが可能である。
【００４１】
また、以上の実施例では、標準偏差の倍数として４、副走査方向のライン数として４５、行列平均の幅として８列を採用したが、これらの値は適宜変更することが可能であり、また、標準偏差を演算することなく、許容誤差として、固定値、例えば、画像濃度の階調が０〜２５５の場合、１２前後の値を採用することもできる。
さらに、上記の実施例では、本発明のシェーディングデータ検査方法を、デジタル複合機に適用した場合について説明したが、本発明のシェーディングデータ検査方法はファクシミリ装置やコピー機等の他の画像読取装置にも適用することができる。
【図面の簡単な説明】
【００４２】
【図１】デジタル複合機を備えたシステムのネットワーク構成例を示す図である。
【図２】デジタル複合機のハードウェア構成を示すブロック図である。
【図３】操作パネルの詳細を示す図である。
【図４】検査ソフトを実装したパソコンの構成を示すブロック図である。
【図５】中央に所定濃度の黒帯及びグレーの帯が印刷されたテストチャートの一例である。
【図６】スキャンメニュー選択画面の一例である。
【図７】スキャン条件入力画面の一例である。
【図８】シェーディングデータの異常検査プログラムのフローチャートである。
【図９】各列のLine平均Ｘ（ｉ）の演算を説明するための図である。
【図１０】行列平均Ｙ（ｉ）の演算を説明するための図である。
【図１１】シェーディングデータに異常があった場合の表示の一例である。
【図１２】シェーディングデータの特性を示す図である。
【符号の説明】
【００４３】
１  デジタル複合機
２、３、４  パソコン
５  ＰＳＴＮ
６  ＬＡＮ
７  インターネット網
８  シェーディングプレート
１１  ＭＰＵ
１２  フラッシュメモリ
１３  ＳＲＡＭ
１４  メモリコントローラ
１５  画像メモリ
１６  コーデック
１７  モデム
１８  ＮＣＵ
１９  操作パネル
２０  読取機構制御回路
２１  光源
２２  カラーＣＣＤ
２３  アナログフロントエンド
２４  読取画像信号処理回路
２５  プリント画像信号処理回路
２６  プリンタ
２７  ＬＡＮインターフェース
２８  バス
【図１】
2007267078.tif 000003
【図２】
2007267078.tif 000004
【図３】
2007267078.tif 000005
【図４】
2007267078.tif 000006
【図５】
2007267078.tif 000007
【図６】
2007267078.tif 000008
【図７】
2007267078.tif 000009
【図８】
2007267078.tif 000010
【図９】
2007267078.tif 000011
【図１０】
2007267078.tif 000012
【図１１】
2007267078.tif 000013
【図１２】
2007267078.tif 000014